(57)【要約】【課題】既存のシステムの構成を用いつつタグを用いた効率的な情報検索システムを構築できると共に、ネットワークシステム全体としての保全性をも維持・確保することが可能なネットワークシステムを提供する。【解決手段】ネットワークシステム内において閲覧可能なブログ記事等のコンテンツに対応し且つ端末装置Ｔにおいて入力されたタグに相当するタグ情報が端末装置Ｔから送信されて来たとき、当該タグ情報を受信する。次に、受信されたタグ情報を含むトラックバック用ＵＲＬを生成し、それを端末装置Ｔに送信する。次に、端末装置Ｔからトラックバック用ＵＲＬに対応して送信されて来たトラックバックを受信し、受信されたトラックバックに対応して端末装置Ｔから送信されて来たウェブログ情報を、端末装置Ｔに送信されたトラックバック用ＵＲＬに含まれていたタグ情報に関連付けて閲覧可能に蓄積する。【選択図】図１
2008146288.tif 000002
【特許請求の範囲】
【請求項１】
センタ装置と、端末装置と、サーバ装置と、がネットワークを介して接続されてなるネットワークシステムにおいて、
前記センタ装置は、
前記ネットワークシステム内において閲覧可能な閲覧情報に対応し且つ前記端末装置において入力されたキーワードに相当するキーワード情報が前記端末装置から送信されて来たとき、当該送信されて来たキーワード情報を受信するキーワード情報受信手段と、
前記受信されたキーワード情報を含むトラックバック用ＵＲＬ（Uniform Resource Locater）を生成するＵＲＬ生成手段と、
前記生成されたトラックバック用ＵＲＬを前記端末装置に送信するＵＲＬ送信手段と、
前記端末装置からの指令に基づいて、前記トラックバック用ＵＲＬに対応して前記サーバ装置から送信されて来たトラックバックを受信するトラックバック受信手段と、
前記受信されたトラックバックに対応して前記端末装置から送信されて来た対応情報であって前記キーワードに関連する対応情報を、前記端末装置に送信された前記トラックバック用ＵＲＬに含まれていた前記キーワード情報に関連付けて蓄積する蓄積手段と、
を備え、
前記端末装置は、
前記キーワードを入力するために用いられる入力手段と、
前記入力されたキーワードに相当する前記キーワード情報を前記センタ装置に送信するキーワード情報送信手段と、
前記センタ装置から送信されて来た前記トラックバック用ＵＲＬを受信するＵＲＬ受信手段と、
前記受信されたトラックバック用ＵＲＬに対応して、前記トラックバックと前記対応情報とを送信するトラックバック送信手段と、
を備えることを特徴とするネットワークシステム。
【請求項２】
請求項１に記載のネットワークシステムにおいて、
前記閲覧情報は、ウェブログとして記述された閲覧情報であり、
前記対応情報は、当該ウェブログの前記ネットワークシステム内における所在を示す所在情報を少なくとも含んでいることを特徴とするネットワークシステム。
【請求項３】
ネットワークを介して端末装置及びサーバ装置に接続されているセンタ装置において、
前記ネットワークシステム内において閲覧可能な閲覧情報に対応し且つ前記端末装置において入力されたキーワードに相当するキーワード情報が前記端末装置から送信されて来たとき、当該送信されて来たキーワード情報を受信するキーワード情報受信手段と、
前記受信されたキーワード情報を含むトラックバック用ＵＲＬを生成するＵＲＬ生成手段と、
前記生成されたトラックバック用ＵＲＬを前記端末装置に送信するＵＲＬ送信手段と、
前記端末装置からの指令に基づいて、前記トラックバック用ＵＲＬに対応して前記サーバ装置から送信されて来たトラックバックを受信するトラックバック受信手段と、
前記受信されたトラックバックに対応して前記端末装置から送信されて来た対応情報であって前記キーワードに関連する対応情報を、前記端末装置に送信された前記トラックバック用ＵＲＬに含まれていた前記キーワード情報に関連付けて蓄積する蓄積手段と、
を備えることを特徴とするセンタ装置。
【請求項４】
請求項３に記載のセンタ装置において、
前記閲覧情報は、ウェブログとして記述された閲覧情報であり、
前記対応情報は、当該ウェブログの前記ネットワークシステム内における所在を示す所在情報を少なくとも含んでいることを特徴とするセンタ装置。
【請求項５】
請求項３又は４に記載のセンタ装置において、
前記蓄積手段は、一つの前記キーワード情報と、当該キーワード情報に関連する一又は複数の前記対応情報と、を関連付けて蓄積することを特徴とするセンタ装置。
【請求項６】
請求項３又は４に記載のセンタ装置において、
前記蓄積手段は、一つの前記対応情報と、当該対応情報が関連している一又は複数の前記キーワード情報と、を関連付けて蓄積することを特徴とするセンタ装置。
【請求項７】
請求項３から６のいずれか一項に記載のセンタ装置において、
前記対応情報は、
当該対応情報に関連付けられている前記キーワード情報に相当するキーワードを構成する文字列を示す文字列情報、
当該対応情報が対応する前記閲覧情報の前記ネットワーク上における所在を示すＵＲＬ、及び
当該対応情報が対応する前記閲覧情報のタイトルを示すタイトル情報、
を少なくとも含むことを特徴とするセンタ装置。
【請求項８】
請求項７に記載のセンタ装置において、
前記対応情報は、
当該対応情報が対応する前記閲覧情報の説明に相当する説明情報、
当該対応情報が対応する前記閲覧情報の作成者名を示す作成者名情報、又は
当該対応情報が対応する前記閲覧情報の属性を示す属性情報又は
当該対応情報が前記蓄積手段内に蓄積された日時を示す蓄積日時情報、
の少なくともいずれか一つを更に含むことを特徴とするセンタ装置。
【請求項９】
ネットワークを介して端末装置及びサーバ装置に接続されているセンタ装置において実行される情報処理方法において、
前記ネットワークシステム内において閲覧可能な閲覧情報に対応し且つ前記端末装置において入力されたキーワードに相当するキーワード情報が前記端末装置から送信されて来たとき、当該送信されて来たキーワード情報を受信するキーワード情報受信工程と、
前記受信されたキーワード情報を含むトラックバック用ＵＲＬを生成するＵＲＬ生成工程と、
前記生成されたトラックバック用ＵＲＬを前記端末装置に送信するＵＲＬ送信工程と、
前記端末装置からの指令に基づいて、前記トラックバック用ＵＲＬに対応して前記サーバ装置から送信されて来たトラックバックを受信するトラックバック受信工程と、
前記受信されたトラックバックに対応して前記端末装置から送信されて来た対応情報であって前記キーワードに関連する対応情報を、前記端末装置に送信された前記トラックバック用ＵＲＬに含まれていた前記キーワード情報に関連付けて蓄積手段に蓄積する蓄積工程と、
を含むことを特徴とする情報処理方法。
【請求項１０】
ネットワークを介して端末装置と接続されているコンピュータを、請求項３から８のいずれか一項に記載のセンタ装置として機能させることを特徴とするセンタ装置用プログラム。
【発明の詳細な説明】
【技術分野】
【０００１】
本発明は、ネットワークシステム、センタ装置、情報処理方法及びセンタ装置用プログラムの技術分野に属し、より詳細には、インターネット等のネットワークを介して接続されたセンタ装置と端末装置とを含むネットワークシステム及び当該センタ装置、当該センタ装置において実行される情報処理方法並びに当該センタ装置用プログラムの技術分野に属する。
【背景技術】
【０００２】
近年、インターネット等のネットワークに関する技術は急速に進歩し、パーソナルコンピュータを用いて種々の情報を迅速に取得し得る環境が整っている。
【０００３】
しかしながら一方で、余りに情報量が多すぎ、結果として必要な情報のみを迅速に取得し得る検索方法が求められている（下記特許文献１参照）。
【０００４】
このような環境の下、最近では、いわゆるＣＧＭ（Consumer Generated Media）型のウェブサイトを中心に、「タグ」なる概念が台頭している。ここで、当該タグとは、例えば投稿型のウェブサイトに対して投稿者が投稿した記事の内容に対し、その投稿者自身が付加する説明的なキーワードのことである。
【０００５】
すなわち、例えば、ある二輪車の写真が投稿されたとき、その投稿写真に付加された「○○（メーカ名）」、「１２００ｃｃ」、「Ｖツイン」又は「ツーリング」の如きキーワードがタグである。なお、当該タグは、従来からホームページ用の記述言語として用いられていたＨＴＭＬ（Hyper Text Markup Language）における「タグ」とは全く別物である点に注意を要する。
【０００６】
ここで、当該タグは、従来の情報分類（ディレクトリ型）や情報検索（キーワード抽出型）とは異なり、「人による分類」（フォークソノミー）をその基礎としているものであり、次世代型の情報分類や検索の基盤データとして注目されている。
【０００７】
一般に、上記タグの大きな特徴の一つは、ある一つの記事に対して投稿者自身が自由に複数のキーワード（＝分類情報）を付加できることであり、これによって一般的なカテゴリ分類よりも、柔軟性の高い情報の整理が可能となる。
【０００８】
また上記投稿者自身のみならず、他の閲覧者もまたその閲覧している情報（コンテンツ）に対してタグを追加することができるので、ユーザ同士の柔軟な連想思考により情報に奥行きと広がりを与えることができる。これにより多様な検索や関連情報の発見が容易に行えるようになる。
【特許文献１】特開２００６−１６４０８６公報（第１図等）
【発明の開示】
【発明が解決しようとする課題】
【０００９】
しかしながら、上述した従来のタグに係る技術では、当該タグを用いた情報検索を実施する場合、従来のコンテンツ生成サービス（例えば各種ポータルウェブサイトやダウンロードサービスウェブサイト等）とタグ提供サービスが連携する必要があり、タグを用いた情報検索システムとしては複雑になってしまうという問題点があった。
【００１０】
また、タグ自体を登録するためアプリケーションインターフェース（ＡＰＩ）をウェブ上に公開する必要があり、このためタグ検索システム自体に対するセキュリティ（保全性）の確保が難しくなる場合があるという問題点もあった。
【００１１】
そこで、本発明は上記の各問題点に鑑みて為されたもので、その課題は、既存のシステムの構成を用いつつ上記タグを用いた効率的な情報検索システムを構築できると共に、ネットワークシステム全体としての保全性をも維持・確保することが可能なネットワークシステム及び当該ネットワークシステムに含まれるセンタ装置、当該センタ装置において実行される情報処理方法並びに当該センタ装置用プログラムを提供することにある。
【課題を解決するための手段】
【００１２】
上記の課題を解決するために、請求項１に記載の発明は、タグセンタサーバ等のセンタ装置と、端末装置と、サーバ装置と、がネットワークを介して接続されてなるネットワークシステムにおいて、前記センタ装置は、前記ネットワークシステム内において閲覧可能な閲覧情報に対応し且つ前記端末装置において入力されたキーワードに相当するキーワード情報が前記端末装置から送信されて来たとき、当該送信されて来たキーワード情報を受信する通信部等のキーワード情報受信手段と、前記受信されたキーワード情報を含むトラックバック用ＵＲＬ（Uniform Resource Locater）を生成するＣＰＵ等のＵＲＬ生成手段と、前記生成されたトラックバック用ＵＲＬを前記端末装置に送信する通信部等のＵＲＬ送信手段と、前記端末装置からの指令に基づいて、前記トラックバック用ＵＲＬに対応して前記サーバ装置から送信されて来たトラックバックを受信する通信部等のトラックバック受信手段と、前記受信されたトラックバックに対応して前記端末装置から送信されて来た対応情報であって前記キーワードに関連する対応情報を、前記端末装置に送信された前記トラックバック用ＵＲＬに含まれていた前記キーワード情報に関連付けて蓄積するタグデータベース等の蓄積手段と、を備え、前記端末装置は、前記キーワードを入力するために用いられる操作部等の入力手段と、前記入力されたキーワードに相当する前記キーワード情報を前記センタ装置に送信する通信部等のキーワード情報送信手段と、前記センタ装置から送信されて来た前記トラックバック用ＵＲＬを受信する通信部等のＵＲＬ受信手段と、前記受信されたトラックバック用ＵＲＬに対応して、前記トラックバックと前記対応情報とを送信するＣＰＵ等のトラックバック送信手段と、を備える。
【００１３】
よって、トラックバック用ＵＲＬを用いて端末装置からセンタ装置に送信されて来た対応情報を、そのトラックバック用ＵＲＬに含まれていたキーワード情報に対応付けて蓄積するので、キーワード情報及び対応情報を介してネットワークシステム内において容易に閲覧情報を閲覧することができる。
【００１４】
また、トラックバック用ＵＲＬを用いて端末装置側から能動的に送信されて来る対応情報を蓄積するので、センタ装置側に特別な機能を別途設けることなく、既存の機能を用いてキーワード情報と対応情報とを関連付けて蓄積することができる。
【００１５】
上記の課題を解決するために、請求項２に記載の発明は、請求項１に記載のネットワークシステムにおいて、前記閲覧情報は、ウェブログとして記述された閲覧情報であり、前記対応情報は、当該ウェブログの前記ネットワークシステム内における所在を示す所在情報を少なくとも含んでいるように構成される。
【００１６】
よって、閲覧情報がウェブログの情報であり、対応情報がその所在を示す所在情報を含むので、容易に必要なウェブログをネットワークシステム内において閲覧することができる。
【００１７】
上記の課題を解決するために、請求項３に記載の発明は、ネットワークを介して端末装置及びサーバ装置に接続されているタグセンタサーバ等のセンタ装置において、前記ネットワークシステム内において閲覧可能な閲覧情報に対応し且つ前記端末装置において入力されたキーワードに相当するキーワード情報が前記端末装置から送信されて来たとき、当該送信されて来たキーワード情報を受信する通信部等のキーワード情報受信手段と、前記受信されたキーワード情報を含むトラックバック用ＵＲＬを生成するＣＰＵ等のＵＲＬ生成手段と、前記生成されたトラックバック用ＵＲＬを前記端末装置に送信する通信部等のＵＲＬ送信手段と、前記端末装置からの指令に基づいて、前記トラックバック用ＵＲＬに対応して前記サーバ装置から送信されて来たトラックバックを受信する通信部等のトラックバック受信手段と、前記受信されたトラックバックに対応して前記端末装置から送信されて来た対応情報であって前記キーワードに関連する対応情報を、前記端末装置に送信された前記トラックバック用ＵＲＬに含まれていた前記キーワード情報に関連付けて蓄積するタグデータベース等の蓄積手段と、を備える。
【００１８】
よって、トラックバック用ＵＲＬを用いて端末装置からセンタ装置に送信されてきた対応情報を、そのトラックバック用ＵＲＬに含まれていたキーワード情報に対応付けて蓄積するので、キーワード情報及び対応情報を介してネットワークシステム内において容易に閲覧情報を閲覧することができる。
【００１９】
また、トラックバック用ＵＲＬを用いて端末装置側から能動的に送信されて来る対応情報を蓄積するので、センタ装置側に特別な機能を別途設けることなく、既存の機能を用いてキーワード情報と対応情報とを関連付けて蓄積することができる。
【００２０】
上記の課題を解決するために、請求項４に記載の発明は、請求項３に記載のセンタ装置において、前記閲覧情報は、ウェブログとして記述された閲覧情報であり、前記対応情報は、当該ウェブログの前記ネットワークシステム内における所在を示す所在情報を少なくとも含んでいるように構成される。
【００２１】
よって、閲覧情報がウェブログの情報であり、対応情報がその所在を示す所在情報を含むので、容易に必要なウェブログをネットワークシステム内において閲覧することができる。
【００２２】
上記の課題を解決するために、請求項５に記載の発明は、請求項３又は４に記載のセンタ装置において、前記蓄積手段は、一つの前記キーワード情報と、当該キーワード情報に関連する一又は複数の前記対応情報と、を関連付けて蓄積するように構成される。
【００２３】
よって、一つのキーワード情報に対して一又は複数の対応情報を関連付けて蓄積するので、一つのキーワード情報から容易に必要な対応情報を検索することができる。
【００２４】
上記の課題を解決するために、請求項６に記載の発明は、請求項３又は４に記載のセンタ装置において、前記蓄積手段は、一つの前記対応情報と、当該対応情報が関連している一又は複数の前記キーワード情報と、を関連付けて蓄積するように構成される。
【００２５】
よって、一つの対応情報に対して一又は複数のキーワード情報を関連付けて蓄積するので、複数のキーワード情報から一つの対応情報を検索することができる。
【００２６】
上記の課題を解決するために、請求項７に記載の発明は、請求項３から６のいずれか一項に記載のセンタ装置において、前記対応情報は、当該対応情報に関連付けられている前記キーワード情報に相当するキーワードを構成する文字列を示す文字列情報、当該対応情報が対応する前記閲覧情報の前記ネットワーク上における所在を示すＵＲＬ、及び当該対応情報が対応する前記閲覧情報のタイトルを示すタイトル情報、を少なくとも含むように構成される。
【００２７】
よって、対応情報が、文字列情報、ＵＲＬ及びタイトル情報を少なくとも含むので、迅速且つ確実に所望される閲覧情報を検索することができる。
【００２８】
上記の課題を解決するために、請求項８に記載の発明は、請求項７に記載のセンタ装置において、前記対応情報は、当該対応情報が対応する前記閲覧情報の説明に相当する説明情報、当該対応情報が対応する前記閲覧情報の作成者名を示す作成者名情報、又は当該対応情報が対応する前記閲覧情報の属性を示す属性情報又は当該対応情報が前記蓄積手段内に蓄積された日時を示す蓄積日時情報、の少なくともいずれか一つを更に含むように構成される。
【００２９】
よって、対応情報が、説明情報、作成者名情報、属性情報又は蓄積日時情報の少なくともいずれか一つを更に含むので、より利便性よく閲覧情報を検索することができる。
【００３０】
上記の課題を解決するために、請求項９に記載の発明は、ネットワークを介して端末装置及びサーバ装置に接続されているセンタ装置において実行される情報処理方法において、前記ネットワークシステム内において閲覧可能な閲覧情報に対応し且つ前記端末装置において入力されたキーワードに相当するキーワード情報が前記端末装置から送信されて来たとき、当該送信されて来たキーワード情報を受信するキーワード情報受信工程と、前記受信されたキーワード情報を含むトラックバック用ＵＲＬを生成するＵＲＬ生成工程と、前記生成されたトラックバック用ＵＲＬを前記端末装置に送信するＵＲＬ送信工程と、前記端末装置からの指令に基づいて、前記トラックバック用ＵＲＬに対応して前記サーバ装置から送信されて来たトラックバックを受信するトラックバック受信工程と、前記受信されたトラックバックに対応して前記端末装置から送信されて来た対応情報であって前記キーワードに関連する対応情報を、前記端末装置に送信された前記トラックバック用ＵＲＬに含まれていた前記キーワード情報に関連付けて蓄積手段に蓄積する蓄積工程と、を含む。
【００３１】
よって、トラックバック用ＵＲＬを用いて端末装置からセンタ装置に送信されて来た対応情報を、そのトラックバック用ＵＲＬに含まれていたキーワード情報に対応付けて蓄積するので、キーワード情報及び対応情報を介してネットワークシステム内において容易に閲覧情報を閲覧することができる。
【００３２】
また、トラックバック用ＵＲＬを用いて端末装置側から能動的に送信されて来る対応情報を蓄積するので、センタ装置側に特別な機能を別途設けることなく、既存の機能を用いてキーワード情報と対応情報とを関連付けて蓄積することができる。
【００３３】
上記の課題を解決するために、請求項１０に記載の発明は、ネットワークを介して端末装置と接続されているコンピュータを、請求項３から８のいずれか一項に記載のセンタ装置として機能させる。
【００３４】
よって、当該コンピュータを請求項３に記載のセンタ装置として機能させる場合は、トラックバック用ＵＲＬを用いて端末装置からセンタ装置に送信されてきた対応情報を、そのトラックバック用ＵＲＬに含まれていたキーワード情報に対応付けて蓄積するように当該コンピュータが機能するので、キーワード情報及び対応情報を介してネットワークシステム内において容易に閲覧情報を閲覧することができる。
【００３５】
また、トラックバック用ＵＲＬを用いて端末装置側から能動的に送信されて来る対応情報を蓄積するように当該コンピュータが機能するので、センタ装置側に特別な機能を別途設けることなく、既存の機能を用いてキーワード情報と対応情報とを関連付けて蓄積することができる。
【００３６】
更に、当該コンピュータを請求項４に記載のセンタ装置として機能させる場合は、当該コンピュータを請求項３に記載のセンタ装置として機能させる場合に加えて、閲覧情報がウェブログの情報であり、対応情報がその所在を示す所在情報を含むので、容易に必要なウェブログをネットワークシステム内において閲覧することができる。
【００３７】
更にまた、当該コンピュータを請求項５に記載のセンタ装置として機能させる場合は、当該コンピュータを請求項３又は４に記載のセンタ装置として機能させる場合に加えて、一つのキーワード情報に対して一又は複数の対応情報を関連付けて蓄積するので、一つのキーワード情報から容易に必要な対応情報を検索することができる。
【００３８】
また、当該コンピュータを請求項６に記載のセンタ装置として機能させる場合は、当該コンピュータを請求項３又は４に記載のセンタ装置として機能させる場合に加えて、一つの対応情報に対して一又は複数のキーワード情報を関連付けて蓄積するので、複数のキーワード情報から一つの対応情報を検索することができる。
【００３９】
更に、当該コンピュータを請求項７に記載のセンタ装置として機能させる場合は、当該コンピュータを請求項３から６のいずれか一項に記載のセンタ装置として機能させる場合に加えて、対応情報が、文字列情報、ＵＲＬ及びタイトル情報を少なくとも含むので、迅速且つ確実に所望される閲覧情報を検索することができる。
【００４０】
更にまた、当該コンピュータを請求項７に記載のセンタ装置として機能させる場合は、当該コンピュータを請求項７に記載のセンタ装置として機能させる場合に加えて、対応情報が、説明情報、作成者名情報、属性情報又は蓄積日時情報の少なくともいずれか一つを更に含むので、より利便性よく閲覧情報を検索することができる。
【発明の効果】
【００４１】
本発明によれば、トラックバック用ＵＲＬを用いて端末装置からセンタ装置に送信されて来た対応情報を、そのトラックバック用ＵＲＬに含まれていたキーワード情報に対応付けて蓄積するので、キーワード情報及び対応情報を介してネットワークシステム内において容易に閲覧情報を閲覧することができる。
【００４２】
また、トラックバック用ＵＲＬを用いて端末装置側から能動的に送信されて来る対応情報を蓄積するので、センタ装置側に特別な機能を別途設けることなく、既存の機能を用いてキーワード情報と対応情報とを関連付けて蓄積することができる。
【００４３】
従って、既存のシステムの構成を用いてキーワード情報を用いた効率的な情報検索システムを構築できると共に、新たな機能を別途付加する必要がないことからネットワークシステム全体としての保全性を確保することができる。
【発明を実施するための最良の形態】
【００４４】
次に、本発明を実施するための最良の形態について、図面に基づいて説明する。なお、以下に説明する実施形態は、センタ装置と、一又は複数の端末装置と、がインターネット等のネットワークを介して接続されてなるネットワークシステムに対して本発明を適用した場合の実施の形態である。
【００４５】
（Ｉ）本発明の原理
始めに、具体的な実施形態について説明する前に、本発明の原理を説明する。
【００４６】
本発明では、上記タグを用いた情報検索システムと、以下に説明するウェブログによるサービスと、を融合させ、情報検索用のタグに相当するタグ情報を効率的に蓄積すべく、当該ウェブログサービスにおけるトラックバック機能を利用する。
【００４７】
ここで、当該ウェブログサービスについて、以下にその概要を説明する。
【００４８】
当該ウェブログサービスは、近年、インターネット上の情報提供サービスとして一般化しつつあるものである。
【００４９】
このとき、当該ウェブログとは、一般的に、日々更新されるタイプのウェブサイトを意味するものであり、例えば、当該ウェブログの開設者により収集・保存され、インターネット上で公開されたニュース等の記事やウェブページに対して、その記事等の閲覧者がリンクを張ると共に、当該閲覧者の個人的な意見、批評、解説等のコメントを書き加え、その書き加えられたコメントが時系列に保存されるウェブサイトのことである。
【００５０】
このウェブログは、情報発信者（当該ウェブログの閲覧者）が意見表明することを主たる目的とする点で、複数者間の意見交換を目的とする従来の掲示板とは異なるものである。
【００５１】
このようなウェブログサービスを提供するためのウェブログシステムは、当該開設者により収集されて保存（書き溜め）された記事毎に、その閲覧者によりコメント等の入力が可能となっており、そのコメント等を当該記事に付加する機能を有している。そして、当該開設者及び他の複数の閲覧者は、ある記事に付加されたコメントを閲覧することができる。
【００５２】
一方、ウェブログシステムでは、当該開設者が、別のウェブログの開設者の記事やニュースを引用して、自己の記事を入力、保存、公開する機能を提供することも可能である。他方、当該相手方のウェブログ開設者の記事には、当該記事を引用したウェブログの開設者の記事へのリンクが付加される。即ち、引用元の記事と引用先の記事の間に相互にリンクが張られることになる。この技術を以下「トラックバック（Track Back）」機能と称する。このトラックバック機能を利用することで、ウェブログの開設者及びその閲覧者は、ある記事を他のウェブログの開設者が引用しているかどうか、更には引用しているならばその引用先の記事へのリンクを簡単に調べることができるのである。
【００５３】
なお、トラックバックの機能は上述した相互リンクには限らず、一方的に、送信先のウェブログのみにリンクを付加する（貼りつける）ものもある。この場合、ウェブログの開設者が、別のウェブログの開設者の記事に対してリンクを貼りつけるのみに利用することも考えられる。すなわち、単に、ウェブログの開設者が、自身のウェブログの宣伝のために、別のウェブログの開設者の記事に対してトラックバックを送り、自身のウェブログには別のウェブログの開設者への記事のリンクを貼らないようにすることも可能である。そしてこの場合には、トラックバックは、相互リンクを目的とするものではなく、トラックバックを送信した先に対して、自分自身（トラックバックの送信元）の情報を送信し、表示させることを目的としている。
【００５４】
なお、従来のウェブログシステムの例としては、例えば、
Movable Type（URL：http://www.movabletype.org/）
ココログ（URL:http://www.cocolog-nifty.com/）
等がある。
【００５５】
また、上記Movable Typeのトラックバックに係る技術仕様は、
Movable Type Users Manual : TRACKBACK
（URL:http://www.movabletype.org/docs/mttrackback.html）、
TRACKBACK Modules for RSS 1.0/2.0
（URL:http://madskills.com/public/xml/rss/module/trackback/）
がある。
【００５６】
一方、上記トラックバックの技術仕様によれば、ウェブログシステムは、記事毎にトラックバックＵＲＬと呼ばれる情報を自動的に付すこととされている。このトラックバックＵＲＬは、通常、いわゆるＣＧＩ（Common Gate Interface）として提供されるものであり、上記トラックバックを行う際には、上記トラックバックＵＲＬにより示されるウェブサイトに接続し、当該トラックバックした旨の情報をトラックバック（Track Back）として送信する必要がある。
【００５７】
本発明は、上述した既存のウェブログシステム上において上記タグを用いた情報検索システムを実現するものであり、具体的には、
（Ａ）ウェブログの閲覧者等によるタグの入力及びそれを用いた情報検索、
（Ｂ）当該情報検索に用いられたタグを含むトラックバックＵＲＬの生成と閲覧者への提供、
（Ｃ）上記タグを含むトラックバックＵＲＬにより示されるウェブサイトに対するトラックバックの実行、及び、
（Ｄ）当該トラックバックに対応して送信された、当該タグに関連するコンテンツを示す各種情報の蓄積、並びに当該蓄積した各種情報をネットワーク内において閲覧可能とすること、
の各段階的な処理を含み、これにより、既存のウェブログシステムの構成を用いてタグを用いた効率的な検索を実現すると共に、当該ウェブログシステムに対してタグを用いるための新たな機能を別途付加する必要がないことから、当該システム全体としての保全性を確保しようとするものである。
【００５８】
（II）実施形態
次に、上記本発明の原理に基づく本発明の実施形態について、具体的に図１乃至図８を用いて説明する。
【００５９】
（Ａ）ネットワークシステム構成
初めに、実施形態に係るネットワークシステムの構成について、図１乃至図４を用いて説明する。なお、図１は当該ネットワークシステムの概要構成を示すブロック図であり、図２は当該ネットワークシステムに含まれるタグデータベースの内容を例示する図であり、図３は当該ネットワークシステムに含まれるタグセンタサーバの概要構成を示すブロック図であり、図４は当該ネットワークシステムに含まれる端末装置の概要構成を示すブロック図である。
【００６０】
図１に示すように、実施形態に係るネットワークシステムＳは、センタ装置としてのタグセンタサーバＳＶと、ウェブログサーバＢＶと、各端末装置Ｔ１、Ｔ２、Ｔ３、…、Ｔｎと、を含んでおり、これらがネットワークＮＴを介して相互にデータの授受が可能となるように接続されて構成されている。
【００６１】
この構成において、タグセンタサーバＳＶは、タグデータベースＴＤＢが接続されており、当該タグデータベースＴＤＢの内容を管理する。また、ウェブログサーバＢＶは、本発明に係るウェブログ自体に相当する情報の蓄積並びにそれらの更新等を、各端末装置Ｔ１、Ｔ２、Ｔ３、…、Ｔｎからの指令に基づいて実行する。
【００６２】
更に、ネットワークＮＴは、例えば、上記インターネットの他、専用通信回線（例えば、ＣＡＴＶ（Community Antenna Television）回線）、移動体通信網（基地局等を含む）、及びゲートウェイ等により構築されている。
【００６３】
ここで、ネットワークＮＴとしてインターネットを用いる場合では、ネットワーク層及びトランスポート層における通信プロトコルとしては、例えば、ＴＣＰ／ＩＰ（Transmission Control Protocol/Internet Protocol）が用いられている。これに対し、ネットワークＮＴとして移動体通信網（パケット網）を用いる場合では、例えば、ＴＣＰ／ＩＰを当該移動通信網に合わせたプロトコル等が用いられる。そして、これらインターネット及び移動体通信網を複合化してネットワークＮＴを構築する場合には、当該移動体通信網の関門局等に備えられ且つインターネットと移動体通信網との間における通信を中継する図示しないゲートウェイサーバにおいて通信プロトコルの変換を行う必要がある。
【００６４】
また、ネットワークＮＴとしてインターネットを用いる場合、ウェブページ（例えば、上記ＨＴＭＬ、画像データ、音声データ、テキストデータ等により構成されている）を送受信するために、例えばＨＴＴＰ（Hyper Text Transfer Protocol）が用いられ、更に電子メールの送受信には、例えばＳＭＴＰ（Simple Mail Transfer Protocol）が用いられているが、移動体通信網内においては、これらとは異なるプロトコルが用いられている場合があるため、上記ゲートウェイサーバにおいてアプリケーション層における通信プロトコルの変換を行う必要がある。
【００６５】
次に、上記タグデータベースＴＤＢの内容について、具体的に図２を用いて説明する。
【００６６】
図２（ａ）に示すように、タグデータベースＴＤＢには、複数の第１タグデータ１３０と、複数の第２タグデータ１５０と、が相互に識別可能に蓄積されている。
【００６７】
このとき、一つの第１タグデータ１３０には、一つのタグに相当するタグ情報１４０に対して複数のウェブログを夫々示すウェブログ情報１４１が関連付けられて記述されている。
【００６８】
これに対し、一つの第２タグデータ１５０には、一つの上記ウェブログ情報１４１に対して複数の上記タグ情報１４０が関連付けられて記述されている。
【００６９】
そして、タグデータベースＴＤＢにおいては、上記第１タグデータ１３０と、上記第２タグデータ１５０と、が相互に連関しつつ検索可能に蓄積されていることで、一つのタグ情報１４０を手掛かりとしてそれに関連する複数のウェブログ情報１４１を検索することも可能であるし、逆に、一つのウェブログ情報１４１を手掛かりとしてそれに関連する複数のタグ情報１４０を検索することも可能となっている。
【００７０】
次に、一つの上記ウェブログ情報１４１は、図２（ｂ）に例示するように、タグ文言情報１６０と、コンテンツＵＲＬ情報１６１と、コンテンツタイトル情報１６２と、コンテンツ説明情報１６３と、コンテンツ作者情報１６４と、コンテンツ分類情報１６５と、登録日時情報１６６と、コンテンツ閲覧回数情報１６７と、コンテンツ評価情報１６８と、コンテンツ評価コメント情報１６９と、により構成されている。
【００７１】
この構成において、タグ文言情報１６０は、そのウェブログ情報１４１をタグデータベースＴＤＢ内に蓄積するときに用いられたタグ情報に相当するタグを構成する（すなわち、タグ自体としての）文字列である。次に、コンテンツＵＲＬ情報１６１は、そのウェブログ情報１４１を登録した閲覧者がその登録時に用いていたウェブログのＵＲＬを示す情報である。次に、コンテンツタイトル情報１６２は、当該ウェブログの中の個々の記事のタイトル（名称）を示す情報である。ここで、コンテンツタイトル情報１６２は、ウェブログそのものの名称（例えば：○○のブログ！）とは異なり、当該ウェブログ内の個々の記事のタイトル（例：京都に行ってきました）を示している。次に、コンテンツ説明情報１６３は、当該ウェブログの中の個々の記事の内容等についての説明文に相当する情報である。すなわち、コンテンツ説明情報１６３は、ウェブログ全体の名称（例えば、○○のブログ！）に対応する説明文（例えば、「旅行好きの○○が日々思ったことを日記にします。」等のウェブログ全体の名称に対応する説明文）といったものとは異なり、個々のウェブログの記事夫々の本文内に記載されている文字のうち、その先頭から１００文字程度の文字である（例えば、「今日は早起きして横浜から新幹線に乗って京都に行きました。…」等の文字）。
【００７２】
更に、コンテンツ作者情報１６４は、当該ウェブログの開設者の名称（登録されている開設者のニックネーム等）を示す情報である。また、コンテンツ分類情報１６５は、当該ウェブログのネットワークシステムＳ内における属性（例えば、写真であったり、ビデオであったり、ニュースであったりするが、この例では、上記ウェブログであること自体）を示す情報である。以上のタグ文言情報１６０、コンテンツＵＲＬ情報１６１、コンテンツタイトル情報１６２、コンテンツ説明情報１６３、コンテンツ作者情報１６４及びコンテンツ分類情報１６５は、当該ウェブログ情報１４１がタグデータベースＴＤＢに蓄積されたときに同時に収集・蓄積されるものである。
【００７３】
これに対し、登録日時情報１６６、コンテンツ閲覧回数情報１６７、コンテンツ評価情報１６８及びコンテンツ評価コメント情報１６９は、ウェブログ情報１４１がタグデータベースＴＤＢ内に蓄積された以降、タグセンタサーバＳＶの管理者により入力・蓄積されるものである。
【００７４】
そして、登録日時情報１６６は、当該ウェブログ情報１４１がタグデータベースＴＤＢ内に蓄積（登録）された日時を示す情報である。また、コンテンツ閲覧回数情報１６７は、ウェブログ情報１４１に係るウェブログが当該ウェブログ情報１４１に蓄積された以降に、タグセンタサーバＳＶを介して当該ウェブログ情報１４１が第三者から閲覧された回数を示す情報である。更に、コンテンツ評価情報１６８は、タグセンタにより閲覧可能なウェブログ情報１４１（タグセンタで検索した結果表示されるウェブログ情報１４１）を閲覧しているユーザがそのウェブログ情報１４１に対応するウェブログを評価した評価点等をその内容とするものである。最後に、コンテンツ評価コメント情報１６９は、当該タグセンタサーバＳＶにより提供される、閲覧可能なウェブログ情報１４１（タグセンタで検索した結果として表示されるウェブログ情報１４１）を閲覧しているユーザがそのウェブログ情報１４１に対応するウェブログについて記述した感想等のコメントをその内容とするものである。
【００７５】
（Ｂ）タグセンタサーバの細部構成
次に、上記タグセンタサーバＳＶの細部構成について、具体的に図３を用いて説明する。
【００７６】
図３に示すように、タグセンタサーバＳＶは、操作部１１と、表示部１２と、ドライブ部１４と、例えばハードディスクドライブ等からなる記憶部１５と、入出力インタフェース部１６と、システム制御部２０と、により構成されている。そして、システム制御部２０と入出力インタフェース部１６とは、システムバス２１を介して相互にデータの授受が可能に接続されている。
【００７７】
この構成において、操作部１１は、例えば、キーボード、マウス等であり、サーバＳＶのオペレータ等からの操作指示を受け付け、その指示内容を指示信号としてシステム制御部２０に出力する。次に、表示部１２は、例えばＣＲＴ（Cathode Ray Tube）ディスプレイ又は液晶ディスプレイ等として構成されており、文字や画像等として必要な情報を表示する。
【００７８】
一方、通信部１３は、ネットワークＮＴに接続して各端末装置Ｔとの通信状態を制御する。更にドライブ部１４は、例えば、フレキシブルディスク、ＣＤ、ＤＶＤ（Digital Versatile Disc）等の記録媒体から必要なデータ等を読み出すと共に、当該記録媒体に対して必要なデータ等を記録する。また、記憶部１５は、タグセンタサーバＳＶとしての動作を制御するために必要な各種プログラムや、上記タグデータベースＴＤＢを蓄積記憶する。更に、入出力インタフェース部１６は、上記操作部１１乃至記憶部１５と、システム制御部２０と、の間のインタフェース処理を行う。
【００７９】
また、上記システム制御部２０は、ＣＰＵ（Central Processing Unit）１７、ＲＯＭ（Read Only Memory）１８及びＲＡＭ（Random Access Memory）１９等を備える。
【００８０】
ここで、タグセンタサーバＳＶの記憶部１５には、上記各種プログラムとして、所定のオペレーティングシステムの他、ＨＴＴＰプロトコルを用いて、端末装置Ｔから送信されたリクエストに応じた処理を実行するためのＷＷＷ（World Wide Web）サーバプログラムや第１タグデータ１３０及び第２タグデータ１５０を管理するためのタグデータ管理プログラム等が記憶されている。
【００８１】
なお、当該各種プログラム等は、例えば、図示しない他のサーバ等からネットワークＮＴを介して取得されるようにしても良いし、ＣＤ−ＲＯＭ等の記録媒体に記録されてドライブ部１４を介して読み込まれるようにしても良い。
【００８２】
また、ＣＰＵ１７は本実施形態においてＵＲＬ生成手段の一例を構成しており、通信部１３は本実施形態においてキーワード情報受信手段、ＵＲＬ送信手段及びトラックバック受信手段の一例を構成しており、タグデータベースＴＤＢは本実施形態において蓄積手段の一例を構成している。
【００８３】
そして、システム制御部２０は、ＣＰＵ１７が、ＲＯＭ１８や記憶部１５に記憶された各種プログラムを読み出して実行することにより各サーバＳＶの各部を制御すると共に、上述した各手段等として機能するようになっている。
【００８４】
（Ｃ）各端末装置の細部構成
次に、上記各端末装置Ｔ１、Ｔ２、Ｔ３、…、Ｔｎ夫々の細部構成について、具体的に図４を用いて説明する。なお、当該端末装置Ｔ１、Ｔ２、Ｔ３、…、Ｔｎ夫々は、基本的には同一のハードウエア構成を備えたものであるので、図４においては、これらを纏めて端末装置Ｔとして説明する。
【００８５】
図４に示すように、端末装置Ｔは、その使用者からの操作指示を受け付け、その指示内容を指示信号としてシステム制御部４１に出力する操作部３１（例えば、キーボード、マウス等）と、文字や画像等の情報を画面に表示する表示部３２（例えば、液晶ディスプレイ等）と、を備えている。
【００８６】
また、端末装置Ｔは、例えば、ＰＳＴＮ（Public Switched Telephone Network）、ＦＴＴＨ（Fiber To The Home）等の有線通信網を介してネットワークＮＴに接続可能するための通信部３３と、例えば、フレキシブルディスク、ＣＤ、ＤＶＤ等の記録媒体から必要なデータ等を読み出すと共に、当該記録媒体に対してデータ等を記録するドライブ部３４と、を備える。
【００８７】
更に各端末装置Ｔは、各種プログラム及びデータ等を記憶する記憶部３５（例えば、ハードディスク等）を備えている。このとき、記憶部３５には、例えば、端末装置Ｔの各部を制御するための制御プログラム、ＨＴＴＰプロトコル等を用いてＷＷＷサーバとの通信を行い、当該ＷＷＷサーバから送信されたページデータを画面に表示するためのＷｅｂブラウザアプリケーション、ＪＡＶＡ（登録商標）等の形式によるプログラムを実行するためのプログラム等が記憶されている。
【００８８】
また更に、端末装置Ｔは、操作部３１乃至記憶部３５とシステム制御部４１との間のインタフェース処理を行う入出力インタフェース部３７と、ＣＰＵ３８、ＲＯＭ３９、ＲＡＭ４０等を備えるシステム制御部４１（例えば、マイクロコンピュータ等）と、を備え、システム制御部４１と入出力インタフェース部３７とは、システムバス４２を介して接続されている。
【００８９】
ここで、通信部３３は、本実施形態においてキーワード情報送信手段及びＵＲＬ受信手段の一例を構成しており、ＣＰＵ３８は本実施形態においてトラックバック送信手段の一例を構成しており、操作部３１は本実施形態において入力手段の一例を構成している。
【００９０】
そして、システム制御部４１は、ＣＰＵ３８が、ＲＯＭ３９や記憶部３５に記憶された各種プログラムを読み出して実行することにより端末装置Ｔ全体を制御するともに、上述した各手段等として機能するようになっている。
【００９１】
（Ｄ）実施形態に係るタグ情報の処理
次に、上記の構成を備えるネットワークシステムＳにおいて実行される本サービスに係る処理について、具体的に図５乃至図９を用いて説明する。なお、図５は当該処理を示すフローチャートであり、図６乃至図９は当該処理の過程において当該処理に係る端末装置Ｔの表示部３２に表示される画面例を示す図である。
【００９２】
実施形態に係る処理においては、始めに、実施形態に係るタグセンタサーバＳＶにネットワークＮＴを介して接続した端末装置Ｔにおいて、新たな検索を目的としてタグを入力すべく、タグ入力画面を表示させる（ステップＳ１）。
【００９３】
ここで、当該タグ入力画面としては、例えば図６（ａ）に例示するタグ入力画面ＳＴの如く、タグ入力欄１００と、検索実行ボタン１０１と、過去の検索結果に含まれているウェブログ情報１０３が表示されるブログ情報表示欄１０２と、を含むタグ入力画面が好適である。なお、ステップＳ１の段階（具体的には、例えば過去に検索されたことがない場合や、トップページにアクセスした場合等）では、まだ検索が行われていないため、新たにタグが登録されたウェブログ情報１０３や、閲覧数の多いウェブログ情報１０３などがブログ情報表示欄１０２に表示されている。
【００９４】
そして、タグ入力画面が表示されている状態で端末装置Ｔにおいて図６（ｂ）に例示するように実際にタグが入力され（図６（ｂ）に例示する場合はタグとして「ｎｅｋｏ」と入力されている）、更に検索実行ボタン１０１が操作（クリック）されると、当該入力されたタグ（図６（ｂ）に例示する場合は「ｎｅｋｏ」）に相当するタグ情報が、それを用いた検索を要求する旨の検索要求情報と共にタグセンタサーバＳＶに送信される（ステップＳ２）。
【００９５】
次に、当該検索要求情報を受信した（ステップＳ１５）タグセンタサーバＳＶは、当該検索要求情報と共に送信されてきたタグ情報に基づき、当該タグ情報に相当するタグデータベース内のタグ情報１４０をタグ文言情報１６０等を手掛かりとして検索し、その検索されたタグ情報１４０に関連付けられているウェブログ情報１４１を抽出する（ステップＳ１６）。
【００９６】
この検索・抽出処理と並行して、タグセンタサーバＳＶは、上記ステップＳ１０において受信した検索要求情報に含まれているタグ情報を含むトラックバック用のトラックバックＵＲＬであって、端末装置Ｔからのトラックバックを行う際に用いられるトラックバックＵＲＬを生成する（ステップＳ１７）。
【００９７】
ここで、当該生成されるトラックバックＵＲＬとしては、上記タグ情報に相当する文字列が上記した「ｎｅｋｏ」であった場合、例えば、「Http://tag.○○×.co.jp/catchtag/neko」の如きものであり、当該文字列自体をその一部として含むものである。なお、当該タグ情報に相当する文字列が日本語である場合には、その日本語を識別可能な英数字や記号等を用いて置き換えたものであってもよい。
【００９８】
そして、トラックバック用ＵＲＬを生成したタグセンタサーバＳＶは、上記ステップＳ１６における検索処理の結果と、上記ステップＳ１７において生成されたトラックバックＵＲＬと、を、夫々上記検索要求情報を送信して来た端末装置Ｔに送信する（ステップＳ１８）。
【００９９】
これにより、端末装置Ｔは、当該検索処理の結果と、上記トラックバックＵＲＬとを受信し、夫々をその表示部３２上に表示する（ステップＳ３）。
【０１００】
このとき、当該検索結果の表示画面としては、例えば図７に例示する検索結果画面ＲＴの如く、最初に入力された（ステップＳ２参照）タグ自体が表示されるタグ表示欄１１０と、タグセンタサーバＳＶから送信されて来た上記トラックバックＵＲＬが表示されるＵＲＬ表示欄１１１と、上記ステップＳ１６における検索結果に含まれているウェブログ情報１１３が表示されるブログ情報表示欄１１２と、を含む検索結果画面が好適である。
【０１０１】
次に、当該表示されている検索結果画面ＲＴにおいて上記トラックバックＵＲＬを選択してコピー操作し（ステップＳ４）、その後、端末装置Ｔを操作する操作者が、自身が開設者となっている他のウェブログ（例えば、当該所望のウェブログを、以下適宜「Ｘブログ」と称する）に新たに接続した上でブログの作成のためのブログ作成更新画面を表示し、更に必要な文章等を入力して新たにブログの記事を作成する（ステップＳ５）。
【０１０２】
このとき、当該新たなブログの作成に対応して表示部３２に表示されるブログ作成更新画面としては、例えば図８に例示するブログ作成更新画面ＢＧの如く、当該Ｘブログ自体の名称を示す名称表示欄１２０と、日付が入力される日付欄１２１と、そのブログのタイトル（名称）が入力されるタイトル欄１２２と、ブログの本文（記事）が入力される本文欄１２３と、上記トラックバックＵＲＬ自体が貼り付けられるべきＵＲＬ貼付欄１２４と、記事を保存（投稿）する際に操作（クリック）される保存ボタン１２５と、当該Ｘブログを開設している開設者に対応するニックネーム（ユーザＩＤに対応するニックネーム）が表示されるニックネーム表示欄１２６と、当該開設者の画像等が表示される画像表示欄１２７と、を含むブログ作成更新画面が好適である。
【０１０３】
また、ブログ作成更新画面ＢＧと図２（ｂ）に例示したウェブログ情報１４１の内容との関係については、例えば、上記タイトル欄１２２を用いて入力されたタイトルが上記コンテンツタイトル情報１６２を構成することとなり、更に上記本文欄１２３を用いて入力された本文としての文字のうち、その先頭から１００文字程度の文字が上記コンテンツ説明情報１６３を構成することとなる。
【０１０４】
そして、当該ブログ作成更新画面ＢＧが表示されている場合において必要な本文等が入力され、更に上記ＵＲＬ貼付欄１２４に上記トラックバックＵＲＬが貼り付けられて（ステップＳ６）保存ボタン１２５が操作（クリック）されると、端末装置Ｔは、これら本文等の情報を対応するブログサーバＢＶ（すなわち、Ｘブログを作成するためのサービスを提供しているブログサーバＢＶ）に送信する（ステップＳ７）。
【０１０５】
これにより、当該情報を受け取ったブログサーバＢＶは、当該本文等を保存する（記事を保存）する（ステップＳ３０）と共に、トラックバックＵＲＬ貼付欄１２４に貼り付けられたトラックバック用ＵＲＬに基づいて、当該Ｘブログ自体のＵＲＬの他、上記タイトル欄１２２に入力された内容や本文欄１２３に入力された内容等を、当該トラックバック用ＵＲＬの宛先（タグセンターサーバＳＶ）に送信する（ステップＳ３１）。
【０１０６】
なお、上記ステップＳ７の処理につき、本文の内容が書き換えられる（修正）等により再度保存ボタン１２５が操作（クリック）されるときにも同様に、端末装置Ｔは、これら書き換えられた本文等の情報をブログサーバＢＶに送信する。そして、当該情報を受け取ったブログサーバＢＶは、当該本文等を上書きして更新する（記事を修正）すると共に、その際にトラックバックＵＲＬ貼付欄１２４にトラックバック用ＵＲＬが貼り付けられていれば、当該トラックバック用ＵＲＬに基づいて、当該Ｘブログ自体のＵＲＬの他、上記タイトル欄１２２に入力された内容や本文欄１２３に入力された内容等（ウェブログ情報１４１）が、トラックバック用ＵＲＬの宛先（タグセンターサーバＳＶ）に送信する。
【０１０７】
ここで、ブログサーバＢＶは、端末装置Ｔからデータが送られてきたとき、トラックバックＵＲＬ貼付欄１２４にトラックバック用ＵＲＬが貼り付けられていれば、そのトラックバック用ＵＲＬに対応するサーバ（本実施形態の場合は、タグセンタサーバＳＶ）にデータを送信するよう動作する。
【０１０８】
他方、上記トラックバック（保存ボタン１２５が再度操作（クリック）されたことで再送信されたトラックバックを含む）として、当該Ｘブログ自体のＵＲＬの他、上記タイトル欄１２２に入力された内容や本文欄１２３に入力された内容等（ウェブログ情報１４１）が送信されて来たタグセンタサーバＳＶは、これを受信する（ステップＳ１９）。
【０１０９】
その後、端末装置Ｔにおいては、タグを用いた情報検索自体を終了するか否かが確認され（ステップＳ１１）、終了するときは（ステップＳ１１；ＹＥＳ）そのまま端末装置Ｔにおける処理を終了し、一方継続するときは（ステップＳ１１；ＮＯ）、再度上記ステップＳ２に戻って上述して来た処理を繰り返す。
【０１１０】
一方、上記ウェブログ情報１４１をブログサーバから受信した（ステップＳ１９）タグセンタサーバＳＶは、当該受信したウェブログ情報１４１（当該ＸブログのＵＲＬ、ログとして入力された本文自体を示す情報並びにそのタイトルを示す情報等を含む）を、受け付けたトラックバックＵＲＬに含まれていたタグに相当するタグ情報１４０に関連付け、新たなウェブログ情報１４１としてタグデータベースＴＤＢ内に蓄積（登録）し（ステップＳ２２）、タグセンタサーバＳＶとしての一纏まりの処理を終了する。
【０１１１】
なお、タグセンタサーバＳＶが、ウェブログ情報１４１をタグ情報１４０に関連付けてタグデータベースＴＤＢ内に蓄積（登録）させるときの現在時刻が、当該ウェブログ情報１４１における上記登録日時情報１６６として設定される。
【０１１２】
また、上記ステップＳ２２の処理においては、図２に例示する第１タグデータ１３０の他に、併せて第２タグデータ１５０も新たに蓄積される。
【０１１３】
そして、新たに蓄積された第１タグデータ１３０及び第２タグデータ１５０は、それ以後に実行される図５に示す検索処理に供される。
【０１１４】
すなわち、先ず、ステップＳ２２に係る登録処理が完了した後においては、図９（ａ）に例示するように、上記ステップＳ３１及びＳ１９の処理により送信されて来た新たなウェブログ情報１４１（上記「Ｘブログ」に対応するウェブログ情報１４１）が、タグ「ｎｅｋｏ」に相当するタグ情報１４０に関連付けられて第１タグデータ１３０が更新される。これに加えて、第２タグデータ１５０については、新たな「Ｘブログ」に相当するウェブログ情報１４１に対してタグ「ｎｅｋｏ」に相当するタグ情報１４０が関連付けられた新たな第２タグデータ１５０が構築されることとなる。
【０１１５】
そして、図９（ａ）に例示する新たな第１タグデータ１３０及び第２タグデータ１５０が蓄積されたタグデータベースＴＤＢを用いて、それ以降に改めて図５に示すステップＳ１６の検索処理が実行されると、その結果としての検索結果画面ＲＴとしては、例えば図９（ｂ）に例示するように、前回の検索結果画面ＲＴ内のブログ情報表示欄１１２における検索結果表示につき、新たに上記「Ｘブログ」についての検索結果が表示されることとなる。
【０１１６】
これにより、端末装置Ｔの使用者は、以後当該「Ｘブログ」に相当するウェブログ情報１１３を操作する（クリックする）ことにより、当該Ｘブログに移動して当該ウェブログの更新等の操作をすることができることになる。
【０１１７】
以上夫々説明したように、実施形態に係るネットワークシステムＳの動作によれば、トラックバック用ＵＲＬを用いて端末装置ＴからタグセンタサーバＳＶに送信されて来たトラックバックに含まれていたウェブログ情報１４１を、そのトラックバック用ＵＲＬに含まれていたタグ情報１４０に対応付けて蓄積するので、タグ情報１４０及びウェブログ情報１４１を介してネットワークシステムＳ内において容易にウェブログを閲覧することができる。
【０１１８】
また、いわゆるトラックバック機能を用いて端末装置Ｔ側から能動的に送信されて来るウェブログ情報１４１を蓄積するので、タグセンタサーバＳＶ側に特別な機能を別途設けることなく、既存の機能を用いてタグ情報１４０とウェブログ情報１４１とを関連付けて蓄積することができる。このとき、当該トラックバック機能は、現在利用されているウェブログサービスには必ずと言っていいほど備えられている機能であるので、ウェブログサーバＢＶ側で特別な機能を設けることなく、タグセンタサーバＳＶへの登録を行うことができる。
【０１１９】
更に、ウェブログ情報１４１に対応するウェブログのＵＲＬ等を含むので、容易に必要なウェブログをネットワークシステムＳ内において閲覧することができる。
【０１２０】
更にまた、第１タグデータ１３０として、一つのタグ情報１４０に対して一又は複数のウェブログ情報１４１を関連付けて蓄積するので、一つのタグ情報１４０から容易に必要なウェブログ情報１４１を検索することができる。
【０１２１】
また、第２タグデータ１５０として、一つのウェブログ情報１４１に対して一又は複数のタグ情報１４０を関連付けて蓄積するので、複数のタグ情報１４０から一つのウェブログ情報１４１を検索することができる。
【０１２２】
更に、ウェブログ情報１４１が、タグ文言情報１６０と、コンテンツＵＲＬ情報１６１と、コンテンツタイトル情報１６２と、コンテンツ説明情報１６３と、コンテンツ作者情報１６４と、コンテンツ分類情報１６５と、登録日時情報１６６と、コンテンツ閲覧回数情報１６７と、コンテンツ評価コメント情報１６８と、により構成されているので、迅速且つ確実に所望される閲覧情報を検索することができる。
【０１２３】
（III）変形形態
次に、本発明に係る変形形態について説明する。
【０１２４】
上述した実施形態においては、ウェブログにおけるブログ作成更新画面ＢＧに対して、当該端末装置Ｔにおいて取得した（図５ステップＳ３参照）トラックバックＵＲＬを取り込む際、当該トラックバックＵＲＬに対して一旦コピー操作を行い（図５ステップＳ４参照）、それを当該ブログ作成更新画面ＢＧに対して貼り付ける操作を行ったが（図５ステップＳ６及び図８参照）、これ以外に、端末装置Ｔを操作する者の手を煩わせることなく、ブログ作成更新画面内ＢＧにトラックバックＵＲＬを反映させることも可能である。
【０１２５】
この場合には、例えば、取得したトラックバックＵＲＬ（タグ情報１４０を含む）をタグセンタサーバＳＶにも一次記憶させておき、新たなウェブログ（上述した例では「Ｘブログ」）に移行した時点で、当該トラックバックＵＲＬを取得した使用者のユーザＩＤを手掛かりに当該トラックバックＵＲＬを呼び出し、当該新たなウェブログ内に取り込むように構成することが好ましい。
【０１２６】
また、図５に示すフローチャートに対応するタグセンタサーバＳＶ又は各端末装置Ｔ用の制御プログラムを、フレキシブルディスク又はハードディスク或いはＲＯＭ１８又は３９等の情報記録媒体に記録しておき、又はインターネット等を介して取得して記録しておき、これらを汎用のコンピュータで読み出して実行することにより、当該コンピュータを実施形態に係る各ＣＰＵ１７又は３８として活用することも可能である。
【０１２７】
なお、以上の実施形態及び変形形態においては、ウェブログに設けられているトラックバックの機能を用いて、タグセンタサーバＳＶに対して、タグ情報１４０の登録と共にウェブログの記事の内容等を投稿する構成としたが、本発明は、ウェブログに限らず、トラックバック機能を有するサービス（例えば、写真登録サービスやビデオ登録サービス）であればこれを適用することができる。
【産業上の利用可能性】
【０１２８】
以上夫々説明したように、本発明はウェブログ等の閲覧情報の検索を行うネットワークシステムの分野に利用することが可能であり、特にタグを用いて上記閲覧情報を検索するネットワークシステムの分野に適用すれば特に顕著な効果が得られる。
【図面の簡単な説明】
【０１２９】
【図１】実施形態に係るネットワークシステムの概要構成を示すブロック図である。
【図２】実施形態に係るタグデータベースの内容を夫々例示する図であり、（ａ）は実施形態に係るタグデータベースの内容を例示する図であり、（ｂ）は実施形態に係るウェブログ情報の内容を示す図である。
【図３】実施形態に係るタグセンタサーバの細部構成を示すブロック図である。
【図４】実施形態に係る各端末装置の細部構成を示すブロック図である。
【図５】実施形態に係る処理を説明するフローチャートである。
【図６】実施形態に係る処理において表示される画面例を示す図（Ｉ）であり、（ａ）はタグ入力画面の構成を例示する図であり、（ｂ）はタグが実際に入力された際のタグ入力画面の構成を例示する図である。
【図７】実施形態に係る検索結果画面の例を示す図である。
【図８】実施形態に係るブログ作成更新画面の例を示す図である。
【図９】実施形態に係るタグデータベースの内容等を例示する図であり、（ａ）は当該タグデータベースの内容を例示する図であり、（ｂ）は新たな検索結果画面の例を示す図である。
【符号の説明】
【０１３０】
１１、３１    操作部
１２、３２    表示部
１３、３３    通信部
１４、３４    ドライブ部
１５、３５    記憶部
１６、３７    入出力インタフェース部
１７、３８    ＣＰＵ
１８、３９    ＲＯＭ
１９、４０    ＲＡＭ
２０、４１    システム制御部
２１、４２    システムバス
１００    タグ入力欄
１０１    検索実行ボタン
１０２、１１２    ブログ情報表示欄
１０３、１１３、１４１    ウェブログ情報
１１０    タグ表示欄
１１１    ＵＲＬ表示欄
１２０    名称表示欄
１２１    日付欄
１２２    タイトル欄
１２３    本文欄
１２４    ＵＲＬ貼付欄
１２５    保存ボタン
１２６    ユーザＩＤ表示欄
１２７    画像表示欄
１３０    第１タグデータ
１５０    第２タグデータ
１４０    タグ情報
１４１    ウェブログ情報
１６０    タグ文言情報
１６１    コンテンツＵＲＬ情報
１６２    コンテンツタイトル情報
１６３    コンテンツ説明情報
１６４    コンテンツ作者情報
１６５    コンテンツ分類情報
１６６    登録日時情報
１６７    コンテンツ閲覧回数情報
１６８    コンテンツ評価情報
１６９    コンテンツ評価コメント情報
Ｓ    ネットワークシステム
ＴＤＢ    タグデータベース
ＳＶ    タグセンタサーバ
ＢＶ    ウェブログサーバ
Ｔ１、Ｔ２、Ｔ３、Ｔｎ    端末装置
ＮＴ    ネットワーク
ＳＴ    タグ入力画面
ＲＴ    検索結果画面
ＢＧ    ブログ作成更新画面
【図１】
2008146288.tif 000003
【図２】
2008146288.tif 000004
【図３】
2008146288.tif 000005
【図４】
2008146288.tif 000006
【図５】
2008146288.tif 000007
【図６】
2008146288.tif 000008
【図７】
2008146288.tif 000009
【図８】
2008146288.tif 000010
【図９】
2008146288.tif 000011